(57)【要約】【課題】良好な動画性能を有する薄型で高輝度の表示装置を提供する。【解決手段】表示装置（１００）は、第１の方向に延びる複数の走査線と、第１の方向に直交する第２の方向に延びる信号線と、走査線と信号線が交差する領域に配置された複数の画素とを有する液晶パネル（１１）と、液晶パネルに光を照射するバックライト（２０）と、バックライトを駆動するバックライト駆動回路（２５）と、を備え、バックライト（２０）は、入射された光を拡散して液晶パネル側に出射する導光板（２１）と、導光板の第１の方向側の端に配置された第１の光源（２２、２３）と、導光板の第２の方向側の端に配置された第２の光源（２４）と、を有し、バックライト駆動回路は、画素への映像信号の書き込みのタイミングに応じて、第１の光源及び第２の光源を点滅させる。【選択図】図１
2018165781.tif 000002
【特許請求の範囲】
【請求項１】
第１の方向に延びる複数の走査線と、前記第１の方向に直交する第２の方向に延びる信号線と、前記走査線と前記信号線が交差する領域に配置された複数の画素とを有する液晶パネルと、
前記液晶パネルに光を照射するバックライトと、
前記バックライトを駆動するバックライト駆動回路と、
を備え、
前記バックライトは、
入射された光を拡散して前記液晶パネル側に出射する導光板と、
前記導光板の第１の方向側の端に配置された第１の光源と、
前記導光板の第２の方向側の端に配置された第２の光源と、
を有し、
前記バックライト駆動回路は、前記画素への映像信号の書き込みのタイミングに応じて、前記第１の光源及び前記第２の光源を点滅させる、
表示装置。
【請求項２】
前記第１の光源は、所定数の走査線群毎に設けられた複数の照射部を有し、各照射部は、各走査線群に対応した導光板の領域に光を照射し、
前記バックライト駆動回路は、前記映像信号の書き込みタイミングに基づいて前記第１の光源の各照射部を順に駆動し、且つ前記複数の照射部のうちの少なくとも１つと同期させて、前記第２の光源を駆動する、
請求項１に記載の表示装置。
【請求項３】
前記バックライト駆動回路は、前記液晶パネルの中心部の走査線に対応する領域に光を照射する照射部と同期させて、前記第２の光源を駆動する、
請求項２に記載の表示装置。
【請求項４】
前記映像信号に基づいて、前記映像信号の中で映像の動きの速い位置を検出する制御部をさらに有し、
前記バックライト駆動回路は、検出された前記動きの速い位置に対応する走査線に対応する領域に光を照射する照射部と同期させて、前記第２の光源を駆動する、
請求項２に記載の表示装置。
【請求項５】
前記バックライト駆動回路は、前記第１の光源の各照射部の点灯タイミングと点灯時間を、各照射部に対応する走査線に関連した画素に次の映像信号が書き込まれる前に前記点灯時間が終了するように設定する、請求項２に記載の表示装置。
【請求項６】
前記第１の光源は、前記導光板の前記第１の方向における端のうちの少なくとも一方の端に配置され、
前記第２の光源は、前記導光板の前記第２の方向における端のうちの少なくとも一方の端に配置される、
請求項１に記載の表示装置。
【請求項７】
前記導光板は、前記第１の光源からの光を拡散させて前記液晶パネル側に出射する第１の導光板と、前記第２の光源からの光を拡散させて前記液晶パネル側に出射する第２の導光板とを含み、
前記第１の光源は、前記第１の導光板の前記第１の方向における端のうちの少なくとも一方の端に配置され、
前記第２の光源は、前記第２の導光板の前記第２の方向における端のうちの少なくとも一方の端に配置される、
請求項１に記載の表示装置。
【請求項８】
前記第１の光源及び前記第２の光源は、それぞれ複数の発光素子を有する、
請求項１に記載の表示装置。
【発明の詳細な説明】
【技術分野】
【０００１】
本開示は、液晶パネルと液晶パネルに光を照射するバックライトを備えた表示装置に関する。
【背景技術】
【０００２】
特許文献１は、液晶パネルの背面にバックライトを配置した表示装置を開示している。動画像を表示する際に、各画素の時間に対する輝度変化が大きい場合、液晶の駆動が輝度変化に充分に追随できずに、例えば、残像が表示されて全体がぼやけた表示になる。そのため、特許文献１の表示装置は、走査信号の供給開始に同期させて、バックライトの点灯と消灯を繰り返している。これにより、液晶の駆動が充分に追随できない場合であっても、残像を低減して鮮明な動画像を表示することを可能にしている。
【先行技術文献】
【特許文献】
【０００３】
【特許文献１】特開２００３−５０５６９号公報
【発明の概要】
【発明が解決しようとする課題】
【０００４】
本開示は、良好な動画性能を有する薄型で高輝度の表示装置を提供する。
【課題を解決するための手段】
【０００５】
本開示にかかる表示装置は、第１の方向に延びる複数の走査線と、第１の方向に直交する第２の方向に延びる信号線と、走査線と信号線が交差する領域に配置された複数の画素とを有する液晶パネルと、液晶パネルに光を照射するバックライトと、バックライトを駆動するバックライト駆動回路と、を備え、バックライトは、入射された光を拡散して液晶パネル側に出射する導光板と、導光板の第１の方向側の端に配置された第１の光源と、導光板の第２の方向側の端に配置された第２の光源と、を有し、バックライト駆動回路は、画素への映像信号の書き込みのタイミングに応じて、第１の光源及び第２の光源を点滅させる。
【発明の効果】
【０００６】
本開示によれば、良好な動画性能を有する薄型で高輝度の表示装置を実現できる。
【図面の簡単な説明】
【０００７】
【図１】本開示の実施形態１の表示装置の構成を示すブロック図
【図２】実施形態１におけるスキャン用光源とブリンク用光源の配置及び照射領域を説明するための図
【図３】実施形態１におけるスキャン用光源とブリンク用光源の点灯／消灯のタイミングの一例を示したタイミングチャート
【図４】実施形態１におけるブリンク用光源の点灯の例を示す図
【図５】本開示の他の実施形態におけるスキャン用光源とブリンク用光源の配置例を示す図
【発明を実施するための形態】
【０００８】
（用語の定義）
本明細書において、以下のように用語を定義する。
「前面」：表示装置の前方側（ユーザに映像を提示する側）の面
「背面」：表示装置の後方側の面（前面と反対側にある面）
「上側」：液晶パネル（表示画面）の映像（１フレーム）の書き込み開始側
「下側」：液晶パネル（表示画面）の映像（１フレーム）の書き込み終了側
「上下側の側面」：液晶パネルの走査線と平行方向の面
「左右側の側面」：液晶パネルの走査線と垂直方向の面
【０００９】
（本開示の基礎となった知見）
特許文献１のような液晶パネルの背面に光源を配置する「直下型バックライト」の構成の場合、光源の光は導光板を介さずに液晶パネルに照射されるため、光の利用効率が高く、高輝度の表示装置を実現し易い。しかし、直下型バックライトの場合、液晶パネルの背面に光源が配置されているため、薄型の表示装置を実現することは難しい。そこで、表示装置を薄型化するために、導光板の側面に光源を配置して、導光板を介して、光源の光を液晶パネルに照射する「エッジ型バックライト」の構成を採用することが考えられる。エッジ型バックライトの構成において、特許文献１のように残像を低減した良好な動画性能を実現するために、液晶パネルへの書き込みと同期してバックライトを点滅させる「バックライトスキャン」を行うと、バックライトを消灯している期間が存在することによって、表示画面の輝度が低下する。そのため、従来は、良好な動画性能と薄型化と高輝度の全てを同時に実現することができなかった。本開示は、良好な動画性能を有する薄型で高輝度の表示装置を提供する。
【００１０】
（実施形態１）
以下、実施形態１について、図面を参照しながら説明する。
【００１１】
図１は、本開示の実施形態１の表示装置の構成を示している。本実施形態の表示装置１００は、液晶パネル１１と、液晶パネル１１の周辺に配置されたゲートドライバ１２及びソースドライバ１３と、液晶パネル駆動回路１４とを備える。液晶パネル１１は、水平方向に延びる複数（本実施形態では、２１６０本）の走査線と、垂直方向に延びる複数の映像信号線とを含む。液晶パネル１１において、各走査線と各映像信号線が交差する領域に画素電極が配置され、画素電極の前面側に液晶層及びカラーフィルタが配置される。走査線が選択されると、選択された走査線に接続する画素電極に映像信号線を介して電圧が印加され、液晶が駆動される。ゲートドライバ１２は、液晶パネル１１の走査線を駆動する半導体ＩＣである。ソースドライバ１３は、液晶パネル１１の映像信号線を駆動する半導体ＩＣである。液晶パネル駆動回路１４は、受信した映像信号に基づいて、駆動する走査線を選択するための駆動信号をゲートドライバ１２に出力し、映像信号をソースドライバ１３に出力する。
【００１２】
本実施形態の表示装置１００は、さらに、バックライト２０と、バックライト２０を駆動するバックライト駆動回路２５とを備える。バックライト２０は、導光板２１と、導光板２１の側面に配置された光源２２，２３，２４とを有する。バックライト２０は所謂「エッジ型バックライト」である。各光源２２，２３，２４は、複数のＬＥＤによって構成される。光源２２，２３（第１の光源）は、導光板２１の対向する左右側の側面に配置される。光源２４（第２の光源）は、導光板２１の下側の側面に配置される。以下、本明細書において、左右側の光源２２，２３を「スキャン用光源」と呼び、下側の光源２４を「ブリンク用光源」と呼ぶ。光源２２，２３，２４の光が導光板２１の側面から入射すると、導光板２１は入射した光を拡散して、液晶パネル１１の方向へ出射する。
【００１３】
バックライト駆動回路２５は、光源２２，２３，２４の光の発光タイミングを制御する。スキャン用光源２２，２３は、複数のＬＥＤを所定数のブロック（照射部）に分けて制御される。すなわち、スキャン用光源２２，２３の複数のＬＥＤは、それぞれ８個のブロックＢＬ＿１〜ＢＬ＿８に分けられる。なお、分けるブロックの数は、８個に限らず、任意に設定してもよい。バックライト駆動回路２５は、ブロックＢＬ＿１〜ＢＬ＿８単位でスキャン用光源２２，２３の複数のＬＥＤを点滅させる。また、ブリンク用光源２４については、バックライト駆動回路２５は、光源２４の複数のＬＥＤ全体を、１つのブロックＢＬ＿０として、同時に点滅するように駆動する。
【００１４】
本実施形態の表示装置１００は、さらに、制御部３０を有する。制御部３０は、受信した映像信号から垂直同期信号を分離して出力する。バックライト駆動回路２５は、この垂直同期信号に基づいて、スキャン用光源２２，２３をブロック毎に駆動する。また、制御部３０は、受信した映像信号から、例えば輝度の変化に基づいて、映像の動きの速い画面上の位置を特定し、その位置を示す位置情報を出力する。バックライト駆動回路２５は、垂直同期信号と位置情報の少なくとも１つに基づいて、ブリンク用光源２４を駆動する。制御部３０は、半導体素子などで実現可能である。制御部３０は、例えば、マイコン、ＣＰＵ、ＭＰＵ、ＤＳＰ、ＦＰＧＡ、ＡＳＩＣで構成することができる。
【００１５】
図２（ａ）は、スキャン用光源２２，２３がブロック単位で点灯したときの照射領域を説明した図である。スキャン用光源２２，２３の各ＬＥＤは、光を放射する方向が液晶パネル１１の水平方向になるように配置されている。スキャン用光源２２，２３がブロック単位で点灯すると、図２（ａ）に示すように液晶パネル１１の一部の領域が照らされる。本実施形態においては、液晶パネル１１の走査線１５の数が２１６０本であり、且つ各光源２２，２３のＬＥＤは８個のブロックＢＬ＿１〜ＢＬ＿８に分けられているため、１つのブロックが点灯すると２７０本の走査線に対応する領域が照らされる。
【００１６】
図２（ｂ）は、ブリンク用光源２４が点灯したときの照射領域を説明した図である。ブリンク用光源２４の各ＬＥＤは、光を放射する方向が液晶パネル１１の垂直方向になるように配置されている。ブリンク用光源２４は１つのブロックＢＬ＿０として駆動されるため、ブリンク用光源２４が点灯したときは、図２（ｂ）に示すように液晶パネル１１全体が照らされる。
【００１７】
図３は、液晶パネル１１への映像信号の書き込みと、スキャン用光源２２，２３とブリンク用光源２４の点灯のタイミングの一例を示したタイミングチャートである。１フレーム期間において、走査線１５は上から下へ順次選択されていく。走査線１５の選択にしたがい、表示画面の上側の走査線１５に接続する画素から表示画面の下側の走査線１５に接続する画素へと順に、映像信号の書き込みが行われる。
【００１８】
本実施形態では、残像を低減させて良好な動画性能を得るために、映像信号が画素に書き込まれている間、バックライト駆動回路２５は、書き込みが行われる画素に対応するブロックのＬＥＤを消灯しておく。バックライト駆動回路２５は、画素への映像信号の書き込みが終了した後に、その画素に対応するブロックのＬＥＤを点灯する。具体的には、バックライト駆動回路２５は、次のフレームの映像信号が画素に書き込まれる直前のタイミングで、その画素に対応するブロックのＬＥＤを点灯させる。これにより、現フレームの映像信号に対応する画像が表示される。
【００１９】
より具体的には、画素への書き込みは走査線毎に行われ、且つ１つのブロックは２７０本分の走査線に対応するため、スキャン用光源２２，２３に関して、２７０本目の走査線に対応する画素への書き込みが終了した後、１本目の走査線に対応する画素への次の書き込みが開始する直前に、対応するブロックのＬＥＤを点灯する。また、本実施形態においては、バックライト駆動回路２５は、ブロックＢＬ＿１〜ＢＬ８のオンデューティ比を２５％（映像信号の１フレーム期間の１／４）に設定する。よって、バックライト駆動回路２５は、次のフレームに対応する映像信号の書き込みが、点灯時間が経過した直後に開始するように、ブロックＢＬ＿１〜ＢＬ８の点灯開始時間をそれぞれ設定する。以上のように、１フレーム期間においてブロックＢＬ＿１〜ＢＬ＿８は順次点灯される。
【００２０】
一方、ブリンク用光源２４（ブロックＢＬ＿０）に関しては、バックライト駆動回路２５は、ブロックＢＬ＿１〜ＢＬ８のいずれか一つの点灯タイミングと同期して点灯する。図３においては、ブロックＢＬ＿０をブロックＢＬ＿５と同期させて点灯している。
【００２１】
図４（ａ）〜（ｃ）は、ブリンク用光源２４（ブロックＢＬ＿０）の点灯タイミングの例を示した図である。
【００２２】
図４（ａ）は、画面中央付近の表示領域に対応するブロックＢＬ＿５と同期してブロックＢＬ＿０を点灯させたときの例を示す。バックライト駆動回路２５は、例えば、制御部３０から受け取った垂直同期信号に基づいて、画面中央付近の表示領域に対応するブロックＢＬ＿５と同一のタイミングでブロックＢＬ＿０を点灯させる。ブロックＢＬ＿５の点灯開始時は、図３に示すように、ブロックＢＬ＿４が点灯している。そのため、ブロックＢＬ＿５の点灯開始直後は、図４（ａ）に示すように、ブロックＢＬ＿４，ブロックＢＬ＿５，及びブロックＢＬ＿０のＬＥＤが点灯した状態になる。
【００２３】
図４（ｂ）及び（ｃ）は、制御部３０から受け取った位置情報に基づいて、ブリンク用光源２４（ブロックＢＬ＿０）を点灯する場合の点灯タイミングの例を示している。制御部３０は、例えば、受信した映像信号から、映像の動きの速い画面上の位置を特定し、その位置を示す位置情報を出力する。
【００２４】
図４（ｂ）は、画面下部の領域で文字が移動する場合の点灯タイミングを示している。制御部３０から受け取った位置情報が、ブロックＢＬ＿８のＬＥＤが光を照射する領域内の位置を示していた場合、バックライト駆動回路２５は、ブロックＢＬ＿８と同一のタイミングで、ブロックＢＬ＿０を点灯させてもよい。図４（ｂ）は、ブロックＢＬ＿８の点灯開始時の点灯状態を示している。ブロックＢＬ＿８の点灯開始時は、図３に示すように、ブロックＢＬ＿７も点灯しているため、ブロックＢＬ＿７，ブロックＢＬ＿８，及びブロックＢＬ＿０が点灯した状態となる。
【００２５】
図４（ｃ）は、画面上部の領域でサッカーボールの画像が動く場合の点灯タイミングを示している。制御部３０から受け取った位置情報が、ブロックＢＬ＿２のＬＥＤが光を照射する領域内の位置を示していた場合、バックライト駆動回路２５は、ブロックＢＬ＿２と同一のタイミングで、ブロックＢＬ＿０を点灯させてもよい。図４（ｃ）は、ブロックＢＬ＿２の点灯終了直前の点灯状態を示している。ブロックＢＬ＿２の点灯終了直前は、図３に示すように、ブロックＢＬ＿３も点灯しているため、ブロックＢＬ＿２，ブロックＢＬ＿３，及びブロックＢＬ＿０が点灯した状態となる。
【００２６】
以上のように、本実施形態の表示装置１００は、第１の方向に延びる複数の走査線と、第１の方向に直交する第２の方向に延びる映像信号線と、走査線と映像信号線が交差する領域に配置された複数の画素とを有する液晶パネル１１と、液晶パネル１１に光を照射するバックライト２０と、バックライト２０を駆動するバックライト駆動回路２５と、を備え、バックライト２０は、入射された光を拡散して液晶パネル１１側に出射する導光板２１と、導光板２１の第１の方向側の端に配置されたスキャン用光源２２，２３（第１の光源）と、導光板２１の第２の方向側の端に配置されたブリンク用光源２４（第２の光源）と、を有し、バックライト駆動回路２５は、画素への映像信号の書き込みのタイミングに応じて、スキャン用光源２２，２３とブリンク用光源２４とを点滅させる。具体的には、スキャン用光源２２，２３は、所定数の走査線群毎に設けられた複数のブロック（照射部）ＢＬ＿１〜ＢＬ＿８を有し、各ブロックＢＬ＿１〜ＢＬ＿８は、各走査線群に対応した導光板２１の領域に光を照射し、バックライト駆動回路２５は、映像信号の書き込みタイミングに基づいてスキャン用光源２２，２３の各ブロックを順に駆動し、且つ複数のブロックのうちの少なくとも１つと同期させて、ブリンク用光源２４を駆動する。例えば、バックライト駆動回路２５は、液晶パネル１１の中心部の走査線１５に対応する領域に光を照射するブロックと同期させて、ブリンク用光源２４を駆動する。また、例えば、表示装置１００は、映像信号に基づいて、映像信号の中で映像の動きの速い位置を検出する制御部３０をさらに有し、バックライト駆動回路２５は、検出された動きの速い位置に対応する走査線１５に対応する領域に光を照射するブロックと同期させて、ブリンク用光源２４を駆動する。より具体的には、バックライト駆動回路２５は、スキャン用光源２２，２３の各ブロックＢＬ＿１〜ＢＬ＿８の点灯タイミングと点灯時間を、各ブロックに対応する走査線に関連した画素に次の映像信号が書き込まれる前に点灯時間が終了するように設定する。ここで、スキャン用光源２２，２３及びブリンク用光源２４は、それぞれ複数のＬＥＤ（発光素子）を有する。このように、本実施形態の表示装置１００は、画素への映像信号の書き込みのタイミングに応じて、スキャン用光源２２，２３をブロック毎に駆動している。所謂、バックライトスキャンを行っている。これにより、残像を低減した良好な動画性能を実現できる。さらに、ブロックＢＬ＿１〜ＢＬ＿８のうちの少なくとも１つの点灯タイミングと同期させてブリンク用光源２４を点灯させているため、バックライトスキャンを行っても、高輝度を実現できる。また、エッジ型バックライトを使用しているため、表示装置１００を薄型化できる。
【００２７】
（他の実施形態）
以上のように、本出願において開示する技術の例示として、実施形態１を説明した。しかしながら、本開示における技術は、これに限定されず、適宜、変更、置き換え、付加、省略などを行った実施形態にも適用可能である。また、上記実施形態１で説明した各構成要素を組み合わせて、新たな実施形態とすることも可能である。そこで、以下、他の実施形態を例示する。
【００２８】
図５（ａ）は、バックライト２０の別の例を示している。実施形態１においては、ブリンク用光源２４（ブロックＢＬ＿０）は導光板２１の下側に配置されたが、ブリンク用光源２４の配置はこれに限定されない。図５（ａ）に示すように、ブリンク用光源２４（ブロックＢＬ＿０）を導光板２１の上側と下側の両方に配置してもよい。バックライト駆動回路２５は、上側と下側のそれぞれのブリンク用光源２４（ブロックＢＬ＿０）を同一のタイミングで点灯させる。これにより、より高輝度の表示装置１００を実現できる。また、ブリンク用光源２４を導光板２１の上側のみに配置してもよい。図５（ａ）のように導光板２１の数を１枚にすることによって、薄型の表示装置１００を実現できる。
【００２９】
また、上記実施形態１においては、導光板２１の左右側に、スキャン用光源２２，２３を配置したが、スキャン用光源を左右のいずれか一方だけに配置してもよい。なお、片側だけよりも両方にスキャン用光源２２，２３を配置したほうがより高輝度になる。
【００３０】
図５（ｂ）は、バックライト２０のさらに別の例を示している。実施形態１においては、バックライト２０は１枚の導光板２１を備えた。しかし、図５（ｂ）に示すように、バックライト２０は２枚の導光板２１を備えてもよい。この場合、一方の導光板２１にはスキャン用光源２２，２３（ブロックＢＬ＿１〜ブロックＢＬ＿８）からの光が入射されるようにし、他方の導光板２１にはブリンク用光源２４（ブロックＢＬ＿０）からの光が入射されるようにする。これにより、２枚の導光板２１の印刷パターン（光の拡散分布）をそれぞれ、スキャン用光源２２，２３の輝度比率（デューティ比）と、ブリンク用光源２４の輝度比率に応じて、設計することが可能になる。すなわち、ブリンク用光源２４のデューティ比をスキャン用光源２２，２３のデューティ比と異ならせても、表示画面の輝度のムラが生じないように、２枚の導光板２１をそれぞれ設計できる。これにより、例えば、ブリンク用光源２４を消灯した状態の動作モード（動画性能を優先させるモード）と、ブリンク用光源２４を点灯した状態の動作モード（高輝度を優先させるモード）と、ブリンク用光源２４を点滅させる動作モード（上記実施形態１の動作モード）を設け、ユーザが指定した動作モードに応じて、ブリンク用光源２４の点灯／消灯を制御することができる。
【００３１】
実施形態１においては、制御部３０は、受信した映像信号から、映像の動きの速い画面上の位置を特定し、その位置を示す位置情報を出力した。しかし、制御部３０は、映像信号から注目するオブジェクト（文字やサッカーボール）を抽出し、そのオブジェクトの位置を示す位置情報を出力してもよい。
【００３２】
上述の実施形態は、本開示における技術を例示するためのものであるから、特許請求の範囲またはその均等の範囲において種々の変更、置き換え、付加、省略などを行うことができる。
【産業上の利用可能性】
【００３３】
本開示は、例えば、家庭内で使用されるテレビとして有用である。
【符号の説明】
【００３４】
１１      液晶パネル
１２      ゲートドライバ
１３      ソースドライバ
１４      液晶パネル駆動回路
２０      バックライト
２１      導光板
２２，２３，２４      光源
２５      バックライト駆動回路
３０      制御部
１００    表示装置
【図１】
2018165781.tif 000003
【図２】
2018165781.tif 000004
【図３】
2018165781.tif 000005
【図４】
2018165781.tif 000006
【図５】
2018165781.tif 000007